(57)【要約】【課題】紙葉類収納装置を小型化する。【解決手段】紙葉類収納装置（紙幣収納装置３）は、第１テープ３５１と第２テープ３５２との間に挟んだ紙葉類を、第１テープ及び第２テープと共に、外周面に巻き取るよう回転すると共に、逆方向に回転することによって、紙葉類を外周面から繰り出すよう構成されたドラム３７を備える。紙葉類を第１テープと第２テープとの間に挟む挟持箇所（ローラー対３４）から第１リール３６１までの第１テープ経路と、挟持箇所から第２リール３６２まで第２テープ経路は、ドラムの軸方向から見て、少なくとも一部が重なっている。【選択図】図３
2018194943.tif 000002
【特許請求の範囲】
【請求項１】
第１テープが巻かれた第１リールと、
第２テープが巻かれた第２リールと、
前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、
前記第１テープと前記第２テープとの間に前記紙葉類を挟む挟持箇所から、前記第１リールまでの間の第１テープ経路と、
前記挟持箇所から、前記第２リールまでの間の第２テープ経路と、を備え、
前記第１テープ経路と前記第２テープ経路は、前記ドラムの軸方向から見て、少なくとも一部が重なっている紙葉類収納装置。
【請求項２】
紙葉類の搬送路と、
前記第１テープと前記第２テープを前記ドラムの前記外周面に向かって案内するよう構成された第１のローラーと、
前記第１のローラーにより案内され、前記ドラムの前記外周面に沿って走行した前記第１テープ及び前記第２テープの内、前記ドラムの径方向の外側に位置する前記第２テープを、前記ドラムの前記外周面から離した後、前記ドラムの前記外周面に向かって案内するよう構成された第２のローラーと、を備え、
前記紙葉類は、前記搬送路の前記挟持箇所において、前記第２のローラーによって案内された前記第２テープと、前記第１のローラーによって案内された前記第１テープとの間に挟まれる請求項１に記載の紙葉類収納装置。
【請求項３】
前記第２のローラーは、前記挟持箇所に設けられている請求項２に記載の紙葉類収納装置。
【請求項４】
前記第１のローラーと前記第２のローラーは、前記挟持箇所において向かい合って配設されることにより、ローラー対を構成している請求項３に記載の紙葉類収納装置。
【請求項５】
前記第１テープ経路と前記第２テープ経路が重なった箇所に配設されかつ、前記第１テープと前記第２テープを案内するよう構成された共通ローラーを備えている請求項２〜４のいずれか１項に記載の紙葉類収納装置。
【請求項６】
前記共通ローラーは、前記搬送路に配設され、
前記第１テープと前記第２テープは、前記共通ローラーと前記挟持箇所との間で、前記紙葉類と共に、前記搬送路に沿って走行する請求項５に記載の紙葉類収納装置。
【請求項７】
前記ドラムの前記外周面と前記挟持箇所との間に配設されかつ、前記ドラムの前記外周面から離した前記第２テープの走行位置を規制するよう構成されたテープ規制部を備えている請求項２〜６のいずれか１項に記載の紙葉類収納装置。
【請求項８】
前記テープ規制部は、前記ドラムに巻いた前記紙葉類の量に応じて、前記ドラムの中心に対する相対位置を変更する請求項７に記載の紙葉類収納装置。
【請求項９】
前記第１リールと前記第２リールは、テープの幅方向に対して同じ位置に配設されている請求項１〜８のいずれか１項に記載の紙葉類収納装置。
【請求項１０】
前記第１テープと前記第２テープは、その幅方向の少なくとも一部が重なって前記ドラムに巻き取られる請求項１〜９のいずれか１項に記載の紙葉類収納装置。
【請求項１１】
前記ドラムに巻いた前記第１テープ及び前記第２テープの少なくとも一方を押さえるよう構成された押さえローラーと、
前記押さえローラーを支持すると共に、所定条件下において前記押さえローラーを前記ドラムの前記外周面から離すよう構成されたローラー支持部と、を備えている請求項１〜１０のいずれか１項に記載の紙葉類収納装置。
【請求項１２】
第１テープ及び第２テープを、第１のローラーが、ドラムの外周面に向かって案内し、
前記第１のローラーが案内し、前記ドラムの前記外周面に沿って走行した前記第１テープ及び前記第２テープの内、前記ドラムの径方向の外側に位置する前記第２テープを、第２のローラーが、前記ドラムの前記外周面から離した後、前記ドラムの前記外周面に向かって案内し、
前記ドラムが、前記第２のローラーによって案内された前記第２テープと、前記第１のローラーによって案内された前記第１テープとの間に挟まれた紙葉類を、前記第１テープ及び前記第２テープと共に外周面に巻き取る紙葉類収納方法。
【請求項１３】
紙葉類の収納部を備え、
前記収納部は、
第１テープが巻かれた第１リールと、
第２テープが巻かれた第２リールと、
前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、
前記第１テープと前記第２テープとの間に前記紙葉類を挟む挟持箇所から、前記第１リールまでの間の第１テープ経路と、
前記挟持箇所から、前記第２リールまでの間の第２テープ経路と、を備え、
前記第１テープ経路と前記第２テープ経路は、前記ドラムの軸方向から見て、少なくとも一部が重なっている紙葉類処理装置。
【請求項１４】
フレームと、
第１テープが巻かれた第１リールと、
第２テープが巻かれた第２リールと、
前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、
前記ドラムに向かって前記紙葉類を搬送すると共に、前記ドラムに巻いた前記紙葉類の量に応じて可動する搬送ガイドと、を備え、
前記搬送ガイドは、前記フレーム内を、一側領域と他側領域とに隔て、
前記ドラムは、前記一側領域に配設され、前記第１リール及び前記第２リールは共に、前記他側領域に配設されている紙葉類収納装置。
【請求項１５】
前記搬送ガイドは、前記一側領域と前記他側領域を連通する連通部を有し、
前記第１テープ及び前記第２テープは、前記連通部を通り抜け、
前記連通部を通り抜けた前記第１テープと前記第２テープを前記ドラムの前記外周面に向かって案内するよう構成された第１のローラーと、
前記第１のローラーにより案内され、前記ドラムの前記外周面に沿って走行した前記第１テープ及び前記第２テープの内、前記ドラムの径方向の外側に位置する前記第２テープを、前記ドラムの前記外周面から離した後、前記ドラムの前記外周面に向かって案内するよう構成された第２のローラーと、を備え、
前記紙葉類は、前記第１のローラーによって案内された前記第１テープと、前記第２のローラーによって案内された前記第２テープとの間に挟まれる請求項１４に記載の紙葉類収納装置。
【請求項１６】
前記搬送ガイドは、前記一側領域と前記他側領域を連通する連通部を有し、
前記第１テープは、前記連通部を通り抜け、
前記連通部を通り抜けた前記第１テープを前記ドラムの前記外周面に向かって案内するよう構成された第１のローラーと、
前記第２テープを、前記搬送ガイドを迂回して、前記一側領域から前記他側領域へと導くよう構成された迂回ローラーと、
前記迂回ローラーにより案内された前記第２テープを、前記ドラムの前記外周面に向かって案内するよう構成された第２のローラーと、を備え、
前記紙葉類は、前記第１のローラーによって案内された前記第１テープと、前記第２のローラーによって案内された前記第２テープとの間に挟まれる請求項１４に記載の紙葉類収納装置。
【請求項１７】
前記第１テープと前記第２テープは、その幅方向の少なくとも一部が重なって前記ドラムに巻き取られる請求項１４〜１６のいずれか１項に記載の紙葉類収納装置。
【請求項１８】
前記第１リールと前記第２リールは、テープの幅方向に対して同じ位置に配設されている請求項１４〜１７のいずれか１項に記載の紙葉類収納装置。
【請求項１９】
前記第１リールと前記第２リールは、テープの幅方向に対して、位置がずれている請求項１４〜１７のいずれか１項に記載の紙葉類収納装置。
【請求項２０】
前記第１リール及び前記第２リールはそれぞれ、前記第１テープ及び前記第２テープの巻き量に応じて、見かけの径が変化し、
前記第１リール及び前記第２リールの内の少なくとも一のリールの見かけの径が変化する領域と、前記搬送ガイドが変位する領域とは、一部が重なる請求項１４〜１９のいずれか１項に記載の紙葉類収納装置。
【請求項２１】
紙葉類の収納部を備え、
前記収納部は、
フレームと、
第１テープが巻かれた第１リールと、
第２テープが巻かれた第２リールと、
前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、
前記ドラムに向かって前記紙葉類を搬送すると共に、前記ドラムに巻いた前記紙葉類の量に応じて可動する搬送ガイドと、を備え、
前記搬送ガイドは、前記フレーム内を、一側領域と他側領域とに隔て、
前記ドラムは、前記一側領域に配設され、前記第１リール及び前記第２リールは共に、前記他側領域に配設されている紙葉類処理装置。
【発明の詳細な説明】
【技術分野】
【０００１】
ここに開示する技術は、紙葉類収納装置、紙葉類収納方法、及び、紙葉類処理装置に関する。
【背景技術】
【０００２】
特許文献１には、紙葉類収納装置が記載されている。紙葉類収納装置は、二本のテープに挟まれた紙葉類をテープと共に巻き取る巻取ローラー（つまり、ドラム）を備えている。紙葉類収納装置の内部において、テープリールは、ドラムを間に挟んだ一側と他側とのそれぞれに配置されている。
【先行技術文献】
【特許文献】
【０００３】
【特許文献１】国際公開第２０１１／１５５０１８号
【発明の概要】
【発明が解決しようとする課題】
【０００４】
紙葉類収納装置は、小型化が要求されている。紙葉類収納装置を小型化するために、従来の紙葉類収納装置とは異なる、新たな構成が必要である。
【０００５】
ここに開示する技術は、かかる点に鑑みてなされたものであり、その目的とするところは、紙葉類収納装置の小型化することである。
【課題を解決するための手段】
【０００６】
具体的に、ここに開示する紙葉類収納装置は、第１テープが巻かれた第１リールと、第２テープが巻かれた第２リールと、前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、前記第１テープと前記第２テープとの間に前記紙葉類を挟む挟持箇所から、前記第１リールまでの間の第１テープ経路と、前記挟持箇所から、前記第２リールまでの間の第２テープ経路と、を備える。
【０００７】
そして、前記第１テープ経路と前記第２テープ経路は、前記ドラムの軸方向から見て、少なくとも一部が重なっている。
【０００８】
紙葉類収納装置は、第１テープ及び第２テープに挟まれた紙葉類を、ドラムの外周面に、第１テープ及び第２テープと共に巻く。第１テープ経路と第２テープ経路とは、ドラムの軸方向から見て、少なくとも一部が重なっている。つまり、ドラムの軸方向から見たときに、二本のテープが一つの経路上で走行する。この構成により、この紙葉類収納装置は、二本のテープのそれぞれが二つの経路上で走行する構成よりも、小型化することができる。
【０００９】
前記紙葉類収納装置は、紙葉類の搬送路と、前記第１テープと前記第２テープを前記ドラムの前記外周面に向かって案内するよう構成された第１のローラーと、前記第１のローラーにより案内され、前記ドラムの前記外周面に沿って走行した前記第１テープ及び前記第２テープの内、前記ドラムの径方向の外側に位置する前記第２テープを、前記ドラムの前記外周面から離した後、前記ドラムの前記外周面に向かって案内するよう構成された第２のローラーと、を備え、前記紙葉類は、前記搬送路の前記挟持箇所において、前記第２のローラーによって案内された前記第２テープと、前記第１のローラーによって案内された前記第１テープとの間に挟まれる、としてもよい。
【００１０】
こうすることで、第１テープ及び第２テープは、挟持箇所において紙葉類を挟むことができる。
【００１１】
前記第２のローラーは、前記挟持箇所に設けられている、としてもよい。こうすることで、第１テープと第２テープとは、紙葉類を安定的に挟むことができる。
【００１２】
前記第１のローラーと前記第２のローラーは、前記挟持箇所において向かい合って配設されることにより、ローラー対を構成している、としてもよい。
【００１３】
こうすることで、第１テープと第２テープとは、第１のローラーと第２のローラーとの間で紙葉類を挟むことができる。
【００１４】
前記紙葉類収納装置は、前記第１テープ経路と前記第２テープ経路が重なった箇所に配設されかつ、前記第１テープと前記第２テープを案内するよう構成された共通ローラーを備えている、としてもよい。
【００１５】
共通ローラーは、二本のテープを案内する。この紙葉類収納装置は、第１テープのテープ経路と第２テープのテープ経路とを個別に設ける構成と比較して、テープ経路を構成する部材が少なくなる。紙葉類収納装置のコストダウンに有利になる。
【００１６】
前記共通ローラーは、前記搬送路に配設され、前記第１テープと前記第２テープは、前記共通ローラーと前記挟持箇所との間で、前記紙葉類と共に、前記搬送路に沿って走行する、としてもよい。
【００１７】
こうすることで、紙葉類が第１テープ及び第２テープに挟まれる前に、紙葉類と第１テープとは共に、搬送路に沿って走行する。第１テープと第２テープとは、挟持箇所において、紙葉類を安定して挟むことができる。
【００１８】
前記ドラムの前記外周面と前記挟持箇所との間に配設されかつ、前記ドラムの前記外周面から離した前記第２テープの走行位置を規制するよう構成されたテープ規制部を備えている、としてもよい。
【００１９】
テープ規制部は、前記ドラムの前記外周面の近くにおいて、第２テープの走行位置を規制する。ドラムに巻いた第２テープの位置がずれることを抑制することができる。
【００２０】
特に、紙葉類に、偽造防止用のスレッド等が付加されていたり、紙葉類の一部に帯状に伸びる凹又は凸が形成されていたりすると、紙葉類がドラムの外周面に沿って曲がり難くなる場合がある。この場合、ドラムに巻いた紙葉類の位置がずれ、紙葉類の位置ずれに伴い、テープの位置が、幅方向にずれる恐れがある。テープ規制部が、ドラムの外周面の近くにおいて、第２テープの走行位置を規制することによって、ドラムに巻いたテープの位置がずれることを、より確実に防止することができる。
【００２１】
前記テープ規制部は、前記ドラムに巻いた前記紙葉類の量に応じて、前記ドラムの中心に対する相対位置を変更する、としてもよい。
【００２２】
ドラムに巻いた紙葉類の量が増えると、ドラムの見かけの径が大きくなる。「ドラムの見かけの径」とは、ドラムの外周面に巻いた紙葉類及びテープによって構成されるドラムの外周面の径の意味である。ドラムの見かけの径の大きさに応じて、テープ規制部の位置を変更することによって、テープ規制部は、常に、ドラムの外周部（尚、ここでいう外周部は、ドラムに巻いた紙葉類及びテープの最外周部を意味する）の近くにおいて、第２テープの走行位置を規制する。ドラムに巻かれる第２テープの位置が適切な位置になり、ドラムに巻いたテープの位置がずれることを、常に防止することができる。
【００２３】
前記第１リールと前記第２リールは、テープの幅方向に対して同じ位置に配設されている、としてもよい。
【００２４】
こうすることで、第１リールから引き出された第１テープと第２リールから引き出された第２テープは、テープの幅方向に対して同じ位置を走行する。紙葉類収納装置の小型化に、さらに有利になる。
【００２５】
前記第１テープと前記第２テープは、その幅方向の少なくとも一部が重なって前記ドラムに巻き取られる、としてもよい。
【００２６】
こうすることで、紙葉類収納装置は、紙葉類を安定的にドラムに巻くことができる。
【００２７】
前記紙葉類収納装置は、前記ドラムに巻いた前記第１テープ及び前記第２テープの少なくとも一方を押さえるよう構成された押さえローラーと、前記押さえローラーを支持すると共に、所定条件下において前記押さえローラーを前記ドラムの前記外周面から離すよう構成されたローラー支持部と、を備えている、としてもよい。
【００２８】
押さえローラーは、第１テープ及び／又は第２テープを押さえることによって、ドラムに巻いた紙葉類の位置がずれることを防止する。特に、紙葉類がドラムの外周面に沿って曲がり難くい場合に、押さえローラーは、ドラムに巻いた紙葉類の位置がずれることを、効果的に防止する。
【００２９】
ローラー支持部は、所定条件下において押さえローラーをドラムの外周面から離す。所定条件は、例えば、ドラムに巻いた紙葉類が少ないとき（例えば数十枚以下のとき）、又は、ドラムに紙葉類を巻いていないとき、としてもよい。
【００３０】
ドラムに巻いた紙葉類が比較的多い時には、押さえローラーがドラムに巻いた第１テープ及び／又は第２テープを押さえることによって、前述の通り、ドラムに巻いた紙葉類の位置がずれることが防止される。しかしながら、ドラムに巻いた紙葉類が少ないときや、ドラムに紙葉類を巻いていないときに、押さえローラーがドラムに巻いた第１テープ及び／又は第２テープを押さえると、押さえローラーやローラー支持部の、部品ばらつきや、組み立てばらつきに起因して、第１テープ及び／又は第２テープの位置が、ずれる恐れがある。
【００３１】
そこで、ローラー支持部が、所定条件下において押さえローラーをドラムの外周面から離すことによって、第１テープ及び／又は第２テープの位置がずれることが防止される。尚、ドラムに巻いた紙葉類が比較的多い時には、ローラーやローラー支持部の、部品ばらつきや、組み立てばらつきの影響は、紙葉類同士の摩擦等によって相殺される。このため、ドラムに巻いた紙葉類が比較的多い時に押さえローラーが第１テープ及び／又は第２テープを押さえても、第１テープ及び／又は第２テープの位置は、ずれない。
【００３２】
ここに開示する紙葉類収納方法は、第１テープ及び第２テープを、第１のローラーが、ドラムの外周面に向かって案内し、前記第１のローラーが案内し、前記ドラムの前記外周面に沿って走行した前記第１テープ及び前記第２テープの内、前記ドラムの径方向の外側に位置する前記第２テープを、第２のローラーが、前記ドラムの前記外周面から離した後、前記ドラムの前記外周面に向かって案内し、前記ドラムが、前記第２のローラーによって案内された前記第２テープと、前記第１のローラーによって案内された前記第１テープとの間に挟まれた紙葉類を、前記第１テープ及び前記第２テープと共に外周面に巻き取る、ことを特徴とする。
【００３３】
こうすることで、紙葉類は、安定して、ドラムの外周面に巻かれる。
【００３４】
ここに開示する紙葉類処理装置は、紙葉類の収納部を備える。前記収納部は、第１テープが巻かれた第１リールと、第２テープが巻かれた第２リールと、前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、前記第１テープと前記第２テープとの間に前記紙葉類を挟む挟持箇所から、前記第１リールまでの間の第１テープ経路と、前記挟持箇所から、前記第２リールまでの間の第２テープ経路と、を備え、前記第１テープ経路と前記第２テープ経路は、前記ドラムの軸方向から見て、少なくとも一部が重なっている。
【００３５】
この構成によると、紙葉類処理装置の収納部は、前述したように、ドラムの軸方向から見たときに、二本のテープが一つの経路上で走行するから、小型化することができる。収納部が小型化するため、紙葉類処理装置も小型化することができる。
【００３６】
ここに開示する紙葉類収納装置は、フレームと、第１テープが巻かれた第１リールと、第２テープが巻かれた第２リールと、前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、前記ドラムに向かって前記紙葉類を搬送すると共に、前記ドラムに巻いた前記紙葉類の量に応じて可動する搬送ガイドと、を備える。
【００３７】
そして、前記搬送ガイドは、前記フレーム内を、一側領域と他側領域とに隔て、前記ドラムは、前記一側領域に配設され、前記第１リール及び前記第２リールは共に、前記他側領域に配設されている。
【００３８】
この構成によると、第１リール及び第２リールの両方を、フレーム内において、搬送ガイドよりも他側領域に配置するため、フレーム内の一側領域は、リールの配設スペースを省略することができる。その結果、紙葉類収納装置を小型化することができる。
【００３９】
前記搬送ガイドは、前記一側領域と前記他側領域を連通する連通部を有し、前記第１テープ及び前記第２テープは、前記連通部を通り抜け、前記紙葉類収納装置は、前記連通部を通り抜けた前記第１テープと前記第２テープを前記ドラムの前記外周面に向かって案内するよう構成された第１のローラーと、前記第１のローラーにより案内され、前記ドラムの前記外周面に沿って走行した前記第１テープ及び前記第２テープの内、前記ドラムの径方向の外側に位置する前記第２テープを、前記ドラムの前記外周面から離した後、前記ドラムの前記外周面に向かって案内するよう構成された第２のローラーと、を備え、前記紙葉類は、前記第１のローラーによって案内された前記第１テープと、前記第２のローラーによって案内された前記第２テープとの間に挟まれる、としてもよい。
【００４０】
第１テープと第２テープとの両方を、同じ経路を通じて、フレーム内の他側領域から一側領域へと導くことによって、二本のテープは、紙葉類を挟みかつ、ドラムに巻くことができる。
【００４１】
前記搬送ガイドは、前記一側領域と前記他側領域を連通する連通部を有し、前記第１テープは、前記連通部を通り抜け、前記紙葉類収納装置は、前記連通部を通り抜けた前記第１テープを前記ドラムの前記外周面に向かって案内するよう構成された第１のローラーと、前記第２テープを、前記搬送ガイドを迂回して、前記一側領域から前記他側領域へと導くよう構成された迂回ローラーと、前記迂回ローラーにより案内された前記第２テープを、前記ドラムの前記外周面に向かって案内するよう構成された第２のローラーと、を備え、前記紙葉類は、前記第１のローラーによって案内された前記第１テープと、前記第２のローラーによって案内された前記第２テープとの間に挟まれる、としてもよい。
【００４２】
第１テープと第２テープとの両方を、異なる経路を通じて、フレーム内の他側領域から一側領域へと導くことによって、二本のテープは、紙葉類を挟みかつ、ドラムに巻くことができる。
【００４３】
前記第１テープと前記第２テープは、その幅方向の少なくとも一部が重なって前記ドラムに巻き取られる、としてもよい。紙葉類収納装置は、紙葉類を、安定してドラムの外周面に巻くことができる。
【００４４】
前記第１リールと前記第２リールは、テープの幅方向に対して同じ位置に配設されている、としてもよい。こうすることで、第１リールから引き出された第１テープと第２リールから引き出された第２テープとは、テープの幅方向に対して同じ位置を走行する。この構成は、紙葉類収納装置の小型化に有利になる。
【００４５】
また、前記第１リールと前記第２リールは、テープの幅方向に対して、位置がずれている、としてもよい。
【００４６】
前記第１リール及び前記第２リールはそれぞれ、前記第１テープ及び前記第２テープの巻き量に応じて、見かけの径が変化し、前記第１リール及び前記第２リールの内の少なくとも一のリールの見かけの径が変化する領域と、前記搬送ガイドが変位する領域とは、一部が重なる、としてもよい。
【００４７】
ドラムに巻かれる紙葉類の量が多くなると、第１リール及び第２リールから引き出されるテープの量が増える。そのため、ドラムの見かけの径が大きくなる一方、第１リール及び第２リールの見かけの径は小さくなる。逆に、ドラムに巻かれる紙葉類の量が少なくなると、ドラムの見かけの径が小さくなる一方、第１リール及び第２リールの見かけの径は大きくなる。
【００４８】
搬送ガイドはドラムに巻いた紙葉類の量に応じて、ドラムの中心に対する相対位置を変更する。つまり、ドラムの見かけの径が大きくなると、搬送ガイドはドラムの中心から離れ、ドラムの見かけの径が小さくなると、搬送ガイドはドラムの中心に近づく。
【００４９】
第１リール及び第２リールの内の少なくとも一のリールの見かけの径が変化する領域と、搬送ガイドが変位する領域との一部が重なる構成とすることによって、フレーム内のスペース効率が向上する。紙葉類収納装置の小型化に有利になる。
【００５０】
ここに開示する別の紙葉類処理装置は、紙葉類の収納部を備え、前記収納部は、フレームと、第１テープが巻かれた第１リールと、第２テープが巻かれた第２リールと、前記第１テープと前記第２テープとの間に挟んだ紙葉類を、前記第１テープ及び前記第２テープと共に、外周面に巻き取るよう回転すると共に、逆方向に回転することによって、前記紙葉類を前記外周面から繰り出すよう構成されたドラムと、前記ドラムに向かって前記紙葉類を搬送すると共に、前記ドラムに巻いた前記紙葉類の量に応じて可動する搬送ガイドと、を備え、前記搬送ガイドは、前記フレーム内を、一側領域と他側領域とに隔て、前記ドラムは、前記一側領域に配設され、前記第１リール及び前記第２リールは共に、前記他側領域に配設されている。
【００５１】
紙葉類処理装置の収納部は、前述したように、第１リール及び第２リールの両方が、フレーム内の他側領域に配置されているから、小型化することができる。収納部が小型化するため、紙葉類処理装置も小型化することができる。
【発明の効果】
【００５２】
以上説明したように、前記の紙葉類収納装置及び紙葉類収納方法によると、紙葉類収納装置の小型化に有利である。また、前記の紙葉類処理装置によると、収納部が小型化するから、紙葉類処理装置の小型化に有利である。
【図面の簡単な説明】
【００５３】
【図１】図１は、紙幣処理装置の外観を例示する斜視図である。
【図２】図２は、紙幣処理装置の構成例を示す概略図である。
【図３】図３は、紙幣収納装置の構成例を示す断面図であり、収納量がゼロの状態を示している。
【図４】図４は、図３の紙幣収納装置において、収納量が満量の状態を示す断面図である。
【図５】図５は、第１テープ及び第２テープの配置構成を示す説明図である。
【図６】図６は、紙幣収納装置のテープ規制部を拡大して示す斜視図である。
【図７Ａ】図７Ａは、第１リール及び第２リールの配置例を示す図であり、図３のVII−VII断面に相当する。
【図７Ｂ】図７Ｂは、第１リール及び第２リールの別の配置例を示す図７Ｂ対応図である。
【図８】図８は、図３とは異なる構成の、紙幣収納装置を示す断面図であり、収納量がゼロの状態を示している。
【図９】図９は、図８の紙幣収納装置において、収納量が満量の状態を示す断面図である。
【図１０Ａ】図１０Ａは、紙幣収納装置における、ドラムと第１リール及び第２リールとの配置例を示す図である。
【図１０Ｂ】図１０Ｂは、紙幣収納装置における、ドラムと第１リール及び第２リールとの、別の配置例を示す図である。
【発明を実施するための形態】
【００５４】
以下、紙葉類収納装置及び紙葉類処理装置、並びに、紙葉類収納方法の実施形態を図面に基づいて詳細に説明する。以下の説明は、紙葉類収納装置及び紙葉類処理装置の一例である。図１は、紙葉類処理装置としての紙幣処理装置１を示している。紙幣処理装置１は、例えば銀行等の金融機関に設置されかつ、入金処理及び出金処理を含む各種の処理を実行する装置である。尚、紙幣処理装置１は、金融機関に設置する以外に、例えば小売店舗のバックオフィス等に設置して用いることも可能である。
【００５５】
（紙幣処理装置の全体構成）
図１は、紙幣処理装置１の外観を例示している。図２は、紙幣処理装置１の内部の構造を例示している。
【００５６】
紙幣処理装置１は、バラ紙幣の処理を行う。紙幣処理装置１は、上部の処理部１１と、下部の金庫部１３とを有している。処理部１１を構成する上部筐体１１１の中には、入金部２１、出金部２３、識別部２４、一時保留部６、及び、搬送部４の一部が配設されている。
【００５７】
金庫部１３は、金庫筐体１３１によって構成されている。金庫筐体１３１の中には、収納部５と、搬送部４の一部とが配設されている。金庫筐体１３１は、収納部５を、所定以上の防護レベルで防護するように構成されている。金庫筐体１３１の防護レベルは、上部筐体１１１の防護レベルよりも高くなっている。
【００５８】
入金部２１は、例えば入金処理を行う際に、紙幣が投入される部分である。入金部２１は、入金口２１１を有している。入金口２１１は、上部筐体１１１の上面に開口している。紙幣は、入金口２１１を通じて、入金部２１に投入される。入金部２１は、投入された紙幣を、一枚ずつ装置の中に取り込む機構を有している。
【００５９】
出金部２３は、例えば出金処理の際に、紙幣が搬送される部分である。出金部２３は、様々な用途に利用することが可能である。出金部２３は、複数枚の紙幣を集積するよう構成されている。出金部２３は、出金口２３１を有している。出金口２３１は、上部筐体１１１の上面に開口している。出金部２３に集積されている紙幣は、出金口２３１を通じて取り出すことが可能である。尚、出金口２３１に、開閉するシャッターを設けてもよい。
【００６０】
識別部２４は、後述するループ搬送路４１に配設されている。識別部２４は、ループ搬送路４１に沿って搬送される紙幣の一枚一枚について、少なくとも、真偽、金種及び正損を識別する。
【００６１】
一時保留部６は、紙幣を一時保留部６の中に取り込んで収納すること、及び、一時保留部６の中に収納している紙幣を繰り出すこと、が可能に構成されている。一時保留部６は、いわゆるテープ式の収納機構を有している。一時保留部６は、例えば入金処理を行う際に、入金対象の紙幣を一時的に収納する。入金処理が確定すると、一時保留部６は、収納している紙幣を繰り出す。繰り出された紙幣は、後述する収納部５に収納される。一時保留部６はまた、その他の用途に利用することも可能である。
【００６２】
一時保留部６は、上部筐体１１１の中の前側の位置に配設されている。一時保留部６は、上部筐体１１１の中に、着脱可能に配置されている。一時保留部６が無くても、紙幣処理装置１は動作することが可能に構成されている。
【００６３】
収納部５は、複数の紙幣収納装置３を有している。図例の紙幣処理装置１は、八個の紙幣収納装置３を有している。紙幣収納装置３は、金庫筐体１３１の中に、上下方向及び水平方向に並んで配置されている。尚、紙幣収納装置３の数、及び、紙幣収納装置３の配置は、どのようなものであってもよい。
【００６４】
各紙幣収納装置３は、紙幣を紙幣収納装置３の中に取り込んで収納すること、及び、紙幣収納装置３の中に収納している紙幣を繰り出すこと、が可能に構成されている。紙幣収納装置３の構成については、後述する。
【００６５】
搬送部４は、搬送路を有している。搬送部４は、例えば紙幣の長手の縁を前にして、紙幣と紙幣との間に間隔を空けて、紙幣を一枚ずつ、搬送路に沿って搬送するよう構成されている。搬送路は、図示は省略するが、多数のローラー、複数のベルト、これらを駆動するモータ、及び複数のガイドの組み合わせによって構成されている。
【００６６】
搬送部４は、上部筐体１１１の中に設けられたループ搬送路４１を有している。ループ搬送路４１は、前述したように識別部２４を通る。搬送部４は、紙幣を、ループ搬送路４１に沿って、図１における時計回り方向及び反時計回り方向に搬送する。
【００６７】
入金部２１は、接続路４２を介して、ループ搬送路４１に接続されている。出金部２３は、接続路４３を介して、ループ搬送路４１に接続されている。
【００６８】
複数の紙幣収納装置３はそれぞれ、接続路４４を介してループ搬送路４１に接続されている。接続路４４は、途中で分岐して、複数の紙幣収納装置３のそれぞれに接続されている。一時保留部６は、接続路４５を介してループ搬送路４１に接続されている。
【００６９】
尚、図示は省略するが、ループ搬送路４１と、接続路４２、４３、４４、４５との接続箇所には、紙幣の搬送先を切り替える分岐機構が設けられている。また、接続路４４における各分岐箇所にも、分岐機構が設けられている。
【００７０】
ループ搬送路４１、及び、接続路４２、４３、４４、４５における各所には、紙幣の通過を検知する通過センサが配設されている。搬送部４は、図示を省略するコントローラーからの指令を受けて、通過センサの検知信号に基づいて、搬送部４の各分岐機構を制御することにより、紙幣を、所定の搬送先に搬送する。
【００７１】
以下、前述した構成の紙幣処理装置１が、入金処理及び出金処理を実行する際の動作について、簡単に説明する。
【００７２】
（入金処理）
入金対象の紙幣は、入金部２１に投入される。入金部２１は、紙幣を一枚一枚、装置の中に取り込む。搬送部４は、紙幣を、接続路４２からループ搬送路４１を通って、識別部２４に搬送する。識別部２４は、紙幣を識別する。搬送部４は、識別部２４を通過した紙幣を、接続路４４を経て、複数の紙幣収納装置３のいずれかに搬送する。紙幣収納装置３は、紙幣を収納する。入金可能な紙幣が全て、紙幣収納装置３に収納されれば、入金処理は終了する。
【００７３】
尚、入金処理時に一時保留部６を利用する場合、搬送部４は、識別部２４を通過した紙幣を、接続路４５を経て、一時保留部６に搬送する。入金処理が確定した後、一時保留部６は、収納している紙幣を繰り出す。搬送部４は、一時保留部６から繰り出された紙幣を、接続路４４を経て、複数の紙幣収納装置３のいずれかに搬送する。
【００７４】
（出金処理）
紙幣収納装置３は、出金処理時に、出金対象の紙幣を繰り出す。搬送部４は、紙幣を、接続路４４からループ搬送路４１を通って、識別部２４に搬送する。識別部２４は、紙幣の識別を行う。搬送部４は、識別後の紙幣を、ループ搬送路４１から接続路４３を通って、出金部２３に搬送する。出金対象の紙幣が全て、出金部２３に出金されれば、出金処理は終了する。
【００７５】
（紙幣収納装置の構成）
図３及び図４は、紙幣収納装置３の構成例を示している。図３は、紙幣収納装置３の収納量がゼロのとき（つまり、紙幣収納装置３に紙幣が収納されていないとき）の状態を示し、図４は、紙幣収納装置３の収納量が満量のときの状態を示している。以下においては、説明の便宜上、図３及び図４の紙面における左右方向をＸ方向とし、図３及び図４の紙面における上下方向をＹ方向とし、図３及び図４の紙面に直交する方向をＺ方向とする（図６も参照）。
【００７６】
紙幣収納装置３の一側面（図３及び図４の例では右面）には、紙幣が出入する出入口３１０が設けられている。紙幣は、出入口３１０を通って紙幣収納装置３の中に入ると共に、出入口３１０を通って紙幣収納装置３の外に出る。
【００７７】
紙幣収納装置３は、収納機構３００と、収納機構３００を収容するフレーム３１と、を備えている。収納機構３００は、テープの間に挟んだ紙幣１００を、テープと共にドラム３７に巻き取るよう構成されている（図６参照）。収納機構３００は、第１リール３６１と、第２リール３６２と、前記ドラム３７と、紙幣１００の搬送路を構成する搬送ガイド３２と、を備えている。第１リール３６１には、第１テープ３５１の一端が固定されていると共に、第１テープ３５１が巻かれている。第２リール３６２には、第２テープ３５２の一端が固定されていると共に、第２テープ３５２が巻かれている。第１テープ３５１の他端、及び、第２テープ３５２の他端はそれぞれ、ドラム３７の外周面に固定されている（図５参照）。
【００７８】
図３及び図４においては、第１リール３６１及び第２リール３６２をそれぞれ一つずつ示している。しかしながら、第１リール３６１は、図７Ａに示すように、Ｚ方向に所定の間隔を空けて二つ配設されている。第１テープ３５１は、二つの第１リール３６１のそれぞれから引き出される。同様に、第２リール３６２も、Ｚ方向に所定の間隔を空けて二つ配設されている。第２テープ３５２は、二つの第２リール３６２のそれぞれから引き出される。尚、図７Ａは、図３のVII−VII断面に相当する。
【００７９】
搬送ガイド３２は、フレーム３１の内部において、出入口３１０とドラム３７との間に配設されている。搬送ガイド３２は、Ｘ方向に伸びている。搬送ガイド３２は、フレーム３１の内部を、一側領域３１１と、他側領域３１２と、に隔てている。
【００８０】
搬送ガイド３２は、固定ガイド３２１と、可動ガイド３２２と、から構成されている。固定ガイド３２１は、出入口３１０に接続されている。固定ガイド３２１は、紙幣１００を厚み方向に挟む、ローラー対及びガイド部材によって構成されている。固定ガイド３２１は、ドラム３７に向かって、又は、出入口３１０に向かって、紙幣１００を搬送するよう構成されている。
【００８１】
可動ガイド３２２は固定ガイド３２１に連続している。可動ガイド３２２は、図３において破線で囲まれた部分に相当する。可動ガイド３２２は、後述する第１ベルト３３１が巻き掛けられたプーリの回転軸３３３を中心として回動するよう構成されている（図３の左側の両端矢印参照）。可動ガイド３２２は、図示を省略する付勢部材（例えば、ばね）によって、図３における時計回り方向に付勢されている。可動ガイド３２２は、後述するドラム３７の見かけの径の大きさに応じて、時計回り方向及び反時計回り方向に回動する。
【００８２】
可動ガイド３２２は、第１ベルト３３１及び第２ベルト３３２を有している。第１ベルト３３１は、複数のプーリに巻き掛けられている。第２ベルト３３２は、第１ベルト３３１とは別の、複数のプーリに巻き掛けられている。第１ベルト３３１と第２ベルト３３２とは、紙幣１００の搬送路に沿って、紙幣１００を厚み方向に挟むよう対向している。第１ベルト３３１及び第２ベルト３３２は、紙幣１００を、ドラム３７に向かって、又は、出入口３１０に向かって搬送するよう構成されている。
【００８３】
可動ガイド３２２の中間位置には、一側領域３１１と他側領域３１２とを連通する連通部３２３が設けられている。連通部３２３には、第１テープ３５１及び第２テープ３５２を案内する第１共通ローラー３２４が配設されている。
【００８４】
可動ガイド３２２に設けた搬送路の端には、ローラー対３４が配設されている。ローラー対３４は、第１のローラー３４１と第２のローラー３４２とによって構成されている。第１のローラー３４１と第２のローラー３４２とは、向かい合って配設されている。ローラー対３４は、第１テープ３５１と第２テープ３５２との間に紙幣１００を挟む挟持箇所に相当する。第１のローラー３４１及び第２のローラー３４２の構成の詳細は、後述する。
【００８５】
可動ガイド３２２の先端部には、押さえローラー３８１が取り付けられている。可動ガイド３２２は、押さえローラー３８１を支持するローラー支持部を構成する。押さえローラー３８１は、ドラム３７に巻いた第１テープ３５１及び第２テープ３５２に当接する。押さえローラー３８１は、第１テープ３５１及び第２テープ３５２を押さえる。押さえローラー３８１は、可動ガイド３２２が回動することに伴い、ドラム３７の中心に対する相対位置を変更する。押さえローラー３８１の位置は、ドラム３７の見かけの径の大きさに応じて変わる。
【００８６】
第１リール３６１及び第２リール３６２は共に、他側領域３１２に配設されている。より詳細に、第１リール３６１及び第２リール３６２は、他側領域３１２において、出入口３１０に近い位置に、斜め方向に並んで配設されている。第２リール３６２は、出入口３１０に対して近い位置に位置している。第１リール３６１は、出入口３１０に対して遠い位置に位置している。また、図７Ａに模式的に示すように、第１リール３６１と第２リール３６２とは、Ｚ方向に対して同じ位置に配設されている。
【００８７】
第１リール３６１は、Ｚ方向に伸びる軸を中心して、第１テープ３５１の引き出し方向（つまり、図３及び図４における時計回り方向）、及び、第１テープ３５１の巻き取り方向（つまり、図３及び図４における反時計回り方向）に回転する。同様に、第２リール３６２は、Ｚ方向に伸びる軸を中心して、第２テープ３５２の引き出し方向、及び、第２テープ３５２の巻き取り方向に回転する。
【００８８】
第２リール３６２から引き出された第２テープ３５２は、複数のローラー及び第２共通ローラー３２５を介して、第１共通ローラー３２４に至る。第１リール３６１から引き出された第１テープ３５１は、第２共通ローラー３２５を介して、第１共通ローラー３２４に至る。第１共通ローラー３２４には、重なった第１テープ３５１及び第２テープ３５２の両方が巻き掛けられる。また、第２共通ローラー３２５にも、重なった第１テープ３５１及び第２テープ３５２の両方が巻き掛けられる。第１共通ローラー３２４と第２共通ローラー３２５との間において、第１テープ３５１と第２テープ３５２とは、互いに重なった状態で走行する。
【００８９】
第１テープ３５１及び第２テープ３５２は、重なった状態で、第１共通ローラー３２４から、第１のローラー３４１に到達する。第１共通ローラー３２４は、第１のローラー３４１に対して、ドラム３７から離れる方向、言い換えるとドラム３７から出入口３１０に向かう方向に、所定の間隔を空けて配設されている。第１テープ３５１及び第２テープ３５２は、第１共通ローラー３２４と第１のローラー３４１との間で、重なった状態のまま、紙幣１００の搬送路に沿って走行する。
【００９０】
従って、ローラー対３４によって構成される挟持箇所から第１リール３６１及び第２リール３６２までのテープ経路の一部において、第１テープ３５１と第２テープ３５２とは、互いに重なった状態で走行する。より具体的に、ローラー対３４から第２共通ローラー３２５までの間において、第１テープ３５１と第２テープ３５２とは、幅方向に互いに重なった状態で走行する。この構成は、挟持箇所から第１リール３６１までの間の第１テープ経路と、挟持箇所から、第２リール３６２までの間の第２テープ経路とが、ドラム３７の軸方向から見て、少なくとも一部が重なっている、と言い換えることができる。
【００９１】
第１のローラー３４１は、重なった第１テープ３５１及び第２テープ３５２を、ドラム３７の外周面に向かって案内する。このときに、第１テープ３５１は、ドラム３７の径方向の内側に位置し、第２テープ３５２は、ドラム３７の径方向の外側に位置する。
【００９２】
ドラム３７は、一側領域３１１に配設されている。より詳細に、ドラム３７は、一側領域３１１において、出入口３１０から離れた位置に配設されている。
【００９３】
ドラム３７は、Ｚ方向に伸びる軸を中心に回転する。ドラム３７は、紙幣１００及びテープの巻き取り方向、及び、紙幣１００及びテープの繰り出し方向に回転する。図３の例において、紙幣１００及びテープの巻き取り方向は、時計回り方向であり、紙幣１００及びテープの繰り出し方向は、反時計回り方向である。
【００９４】
以下、図３〜５を参照しながら、ドラム３７の付近における第１テープ３５１及び第２テープ３５２の、配置関係を説明する。図５は、ドラム３７、第１のローラー３４１、第２のローラー３４２、第１共通ローラー３２４、及び、押さえローラー３８１、並びに、第１テープ３５１及び第２テープ３５２を示している。図５は、理解を容易にするために、ドラム３７及び各ローラー３４１、３４２、３２４、３８１の間隔を広く描いている。第１テープ３５１は破線で、第２テープ３５２は実線でそれぞれ示す。また図５は、実際とは異なり、第１テープ３５１及び第２テープ３５２の間に間隔を設けて描いている。
【００９５】
第１のローラー３４１に案内された第１テープ３５１及び第２テープ３５２は、ドラム３７の外周面に巻かれる。ドラム３７の外周面に、この構成例では、おおよそ２／３周分だけ巻かれた第１テープ３５１及び第２テープ３５２の内、ドラム３７の径方向の外側に位置する第２テープ３５２は、ドラム３７の外周面から離されて、第２のローラー３４２に巻き掛けられる。第１テープ３５１はドラム３７の外周面に巻かれたままになる。
【００９６】
第２のローラー３４２は、第２テープ３５２を、第１テープ３５１に重なるように、ドラム３７の外周面に向かって、再び案内する。第１のローラー３４１と第２のローラー３４２とからなるローラー対３４は、一本の第１テープ３５１と二本の第２テープ３５２との合計三本のテープを挟持する。
【００９７】
図５に示すように、搬送ガイド３２の搬送路に沿って搬送される紙幣１００は、第１共通ローラー３２４と第１のローラー３４１との間で、第１テープ３５１と重なって搬送される。このとき、第１テープ３５１と第２テープ３５２とは重なっているものの、紙幣１００は、第１テープ３５１と第２テープ３５２との間には挟まっていない。
【００９８】
紙幣１００は、第１のローラー３４１と第２のローラー３４２とによって構成されるローラー対３４の箇所において、第１のローラー３４１によって案内された第１テープ３５１と、第２のローラー３４２によって案内された第２テープ３５２との間に挟まれる。第１テープ３５１と第２テープ３５２との間に挟まれた紙幣は、ローラー対３４を通過した後、第１テープ３５１及び第２テープ３５２と共に、ドラム３７の外周面に巻かれる。図示は省略するが、第１テープ３５１及び第２テープ３５２は、ドラム３７の外周面においても、幅方向に重なっている。
【００９９】
紙幣収納装置３は、ローラー対３４の箇所において、第１テープ３５１を、第２テープ３５２と第２テープ３５２の間に挟んでいるため、第１テープ３５１及び第２テープ３５２を重ねた状態で、ドラム３７に巻くことができる。紙幣は、第１テープ３５１と第２テープ３５２との間に挟まれた以上で、安定的に、ドラム３７に巻かれる。
【０１００】
従って、収納機構３００の紙幣収納方法は、以下のように構成されている。つまり、（１）第１テープ３５１及び第２テープ３５２を、第１のローラー３４１が、ドラム３７の外周面に向かって案内し、（２）第１のローラー３４１が案内し、ドラム３７の外周面に沿って走行した第１テープ３５１及び第２テープ３５２の内、ドラム３７の径方向の外側に位置する第２テープ３５２を、第２のローラー３４２が、ドラム３７の外周面から離した後、ドラム３７の外周面に向かって案内し、（３）ドラム３７が、第２のローラー３４２によって案内された第２テープ３５２と、第１のローラー３４１によって案内された第１テープ３５１との間に挟まれた紙幣１００を、第１テープ３５１及び第２テープ３５２と共に外周面に巻き取る。
【０１０１】
この構成の収納機構３００は、紙幣１００を、幅方向に重なった第１テープ３５１及び第２テープ３５２との間に挟んでドラム３７に巻き取るため、紙幣１００を、安定的にドラムに巻くことができる。
【０１０２】
また、挟持箇所（つまり、ローラー対３４）から第１リール３６１及び第２リール３６２までのテープ経路の少なくとも一部において、第１テープ経路と第２テープ経路は、ドラム３７の軸方向から見て重なっている。つまり、ドラム３７の軸方向から見たときに、二本のテープが一つの経路上で走行するから、この紙幣収納装置３は、二本のテープのそれぞれが二つの経路上で走行する構成よりも小型化する。
【０１０３】
また、第１リール３６１と第２リール３６２とは、図７Ａに示すように、テープの幅方向に相当するＺ方向のそれぞれに対して、同じ位置に配設されている。第１リール３６１から引き出した第１テープ３５１と第２リール３６２から引き出した第２テープ３５２とは、テープの幅方向に対して同じ位置を走行する。この構成は、紙幣収納装置３の小型化に、さらに有利になる。
【０１０４】
尚、第１リール３６１と第２リール３６２とは、図７Ｂに示すように、Ｚ方向に対し一部が重なるように、ずらして配設してもよい。この構成においても、紙幣収納装置３の小型化が可能である。また、図示は省略するが、第１リール３６１と第２リール３６２とは、テープの幅方向に対し重ならないよう、ずれて配設してもよい。
【０１０５】
また、第１共通ローラー３２４及び第２共通ローラー３２５が、二本のテープを案内するため、第１テープ３５１のテープ経路と第２テープ３５２のテープ経路とを個別に設ける構成と比較して、テープ経路を構成する部材が少なくなる。この構成は、紙幣収納装置３のコストダウンに有利になる。
【０１０６】
また、第１のローラー３４１と第２のローラー３４２とによって構成されるローラー対３４が、第１テープ３５１及び第２テープ３５２の間に紙幣１００を挟む挟持箇所を構成するため、紙幣１００を安定的に二本のテープの間に挟むことができる。
【０１０７】
ここで、第１のローラー３４１に対して、搬送路に沿って間隔を空けて第１共通ローラー３２４を配置することによって、第１共通ローラー３２４と第１のローラー３４１との間では、搬送路に沿って移動する紙幣１００と共に、重なった第１テープ３５１及び第２テープ３５２が、搬送路に沿って走行する。紙幣１００が第１テープ３５１及び第２テープ３５２に挟まれる前に、紙幣１００と第１テープ３５１とが重なった状態で搬送路に沿って走行するから、紙幣１００を、ローラー対３４の箇所において、安定して、第１テープ３５１と第２テープ３５２とによって挟むことができる。
【０１０８】
また、この紙幣収納装置３は、図３又は図４に示すＸ−Ｙ平面において、ローラー対３４につながる搬送路の角度と、ローラー対３４からドラム３７の外周面までのテープの走行角度とが異なっている。このため、ドラム３７から紙幣１００が繰り出されるときに、紙幣１００を挟んでいた第２テープ３５２が、ローラー対３４の箇所において紙幣１００から離れると共に、その紙幣１００は、搬送路に沿って曲がりながら移動をする。そして、第１共通ローラー３２４の箇所において、紙幣１００を挟んでいた第１テープ３５１（及び、第１テープ３５１に重なった第２テープ３５２）が、紙幣１００から離れる。紙幣１００の搬送方向を変更するローラー対３４の箇所において、第１テープ３５１及び第２テープ３５２の両方が、紙幣１００から、同時に離れない構成にすることにより、紙幣１００の詰まりを抑制することができる。特に、曲がりながら移動をする紙幣１００には遠心力が作用し、この紙幣収納装置３の構成においては、ローラー対３４の箇所を出入口３１０に向かって通過する紙幣１００には、図３における右下方向の遠心力が作用する。この右下方向の遠心力が作用するときに、紙幣１００に対して作用する遠心力の方向に位置する第１テープ３５１が、紙幣１００と共に、搬送方向に沿って走行することにより、紙幣１００の詰まりを、より一層効果的に抑制することができる。
【０１０９】
（テープ規制部の構成）
可動ガイド３２２には、図６に拡大して示すように、テープ規制部が設けられている。テープ規制部は、第２のローラー３４２によってドラム３７の外周面から離された第２テープ３５２の走行位置が、テープ幅方向（つまり、Ｚ方向）に、ずれることを規制する。
【０１１０】
この紙幣収納装置３（つまり、収納機構３００）は、二種類のテープ規制部を有している。テープ規制部の一つは、可動ガイド３２２に設けられた規制壁３８２によって構成されている。具体的に、可動ガイド３２２には、二つの貫通孔が形成されている。規制壁３８２は、貫通孔を形成する側壁である。第２のローラー３４２は、貫通孔内に配設されている。
【０１１１】
Ｚ方向に並んだ二本の第２テープ３５２は、それぞれ貫通孔を通過する。規制壁３８２は、第２テープ３５２の幅方向の両側に位置する。第２テープ３５２の走行位置が幅方向にずれると、第２テープ３５２と規制壁３８２とが干渉する。第２テープ３５２と規制壁３８２とが干渉することによって、第２テープ３５２の走行位置が、テープ幅方向にずれることが規制される。
【０１１２】
もう一つのテープ規制部は、前述した第２のローラー３４２によって構成されている。第２のローラー３４２は、詳細な図示は省略するが、外周面の幅方向中央部が、両端部よりも膨らんだクラウン形状を有している。クラウン形状を有する第２のローラー３４２は、第２テープ３５２の走行位置を、第２のローラー３４２の中央側へと寄せる機能を有している。尚、第２のローラー３４２を、クラウン形状を有すると共に、フランジ付きのローラーによって構成してもよい。第２のローラー３４２を、単なるフランジ付きのローラーによって構成してもよい。
【０１１３】
ドラム３７に巻いた紙幣１００及びテープの量が増えると、図４に示すように、ドラム３７の見かけの径が大きくなる。前述したように、可動ガイド３２２は、ドラム３７の見かけの径が大きくなると、反時計回り方向に回動をする。これに伴い、テープ規制部の、ドラム３７の中心に対する相対位置が変化する。具体的には、ドラム３７の見かけの径が小さくなると、図３に示すように、規制壁３８２及び第２のローラー３４２は、ドラム３７の中心に近づき、ドラム３７の見かけの径が大きくなると、図４に示すように、規制壁３８２及び第２のローラー３４２は、ドラム３７の中心から離れる。つまり、規制壁３８２及び第２のローラー３４２は、ドラム３７の見かけの径の大小に関わらず、ドラム３７の外周部の近くに位置する。尚、ここでいう外周部は、ドラム３７に巻いた紙幣１００及びテープの最外周部を意味する。規制壁３８２及び第２のローラー３４２が、常に、ドラム３７の外周部の近くにおいて、第２テープ３５２の走行位置のずれを規制することによって、ドラム３７に巻いたテープの位置がずれることを、効果的に防止することができる。
【０１１４】
特に、紙幣１００に偽造防止用のスレッド等が付加されていたり、紙幣１００の一部に帯状に伸びる凹又は凸が形成されていたりすると、紙幣１００がドラム３７の外周面に沿って曲がり難い場合がある。この場合、ドラム３７に巻いた紙幣１００の位置が、ドラム３７の軸方向にずれてしまい、紙幣１００の位置ずれに伴い、ドラム３７に巻いた第１テープ３５１及び第２テープ３５２の位置が、幅方向にずれる恐れがある。これに対し、規制壁３８２及び第２のローラー３４２を可動ガイド３２２に設ける構成は、ドラム３７の外周部の近くにおいて、常に、第２テープ３５２の位置ずれを規制することによって、紙幣１００が、ドラム３７の外周面に沿って曲がり難い場合であっても、ドラム３７に巻いた紙幣１００の位置がずれることを、効果的に抑制することができる。
【０１１５】
尚、この紙幣収納装置３は、規制壁３８２と、クラウン形状の第２のローラー３４２との二種類のテープ規制部を有している。紙幣収納装置３は、いずれか一方のテープ規制部のみを有するようにしてもよい。また、紙幣収納装置３は、規制壁３８２、及び、クラウン形状の第２のローラー３４２とは異なる構成のテープ規制部を有するようにしてもよい。
【０１１６】
（押さえローラーの構成）
図３に示すように、押さえローラー３８１は、ドラム３７に紙幣１００が巻かれていないときには、ドラム３７の外周面（正確には、第１テープ３５１よりもドラム３７の径方向の外側に巻かれる第２テープ３５２）に接触しない。押さえローラー３８１とドラム３７の外周面との間には、所定の隙間が設けられている。可動ガイド３２２は、付勢部材によって、図３における時計回り方向に付勢されているが、可動ガイド３２２に当たる当接部材３８３が、紙幣収納装置３に設けられている。ドラム３７に巻いた紙幣１００が所定枚数以下のとき（換言すると、ドラム３７の見かけの径が所定以下のとき）に、可動ガイド３２２は、当接部材３８３に当たることによって、それ以上に、時計回り方向に回動することが阻止される。その結果、押さえローラー３８１とドラム３７に巻いたテープとの間に、所定の隙間が設けられる。
【０１１７】
ドラム３７に巻いた紙幣１００の枚数が増えて、ドラム３７の見かけの径が大きくなると、押さえローラー３８１は、ドラム３７に巻いたテープに当たる。押さえローラー３８１は、ドラム３７に巻いた第１テープ３５１及び第２テープ３５２を押さえる。これにより、ドラム３７に巻いた紙幣１００の位置がずれることが防止される。特に、紙幣１００がドラム３７の外周面に沿って曲がり難くい場合に、押さえローラー３８１は、ドラム３７に巻いた紙幣１００の位置がずれることを、効果的に防止する。
【０１１８】
ドラム３７に巻いた紙幣１００の枚数がさらに増えて、ドラム３７の見かけの径がさらに大きくなると、図４に示すように、押さえローラー３８１がドラム３７に巻いたテープに押される。それによって、可動ガイド３２２は、反時計回り方向に回動する。可動ガイド３２２が、例えば、ばねによって付勢されていると、反時計回り方向の回動角度が大きくなるほど、可動ガイド３２２に作用する付勢力が大きくなって、押さえローラー３８１がテープを押さえる力は強くなる。
【０１１９】
前述したように、ドラム３７に巻いた紙幣１００が所定枚数以下のときには、押さえローラー３８１は、テープに当たらない。所定枚数は、例えば一枚としてもよいし、数十枚としてもよい。所定枚数は、一枚と数十枚の間の適宜の数にすればよい。
【０１２０】
ドラム３７に巻いた紙幣１００が少ないときに、押さえローラー３８１がドラム３７に巻いた第１テープ３５１及び第２テープ３５２を押さえると、押さえローラー３８１や可動ガイド３２２の、部品ばらつきや、組み立てばらつきに起因して、第１テープ３５１及び／又は第２テープ３５２の位置がずれる恐れがあるためである。可動ガイド３２２が、所定条件下において押さえローラー３８１をドラム３７の外周面から離すことにより、第１テープ３５１及び／又は第２テープ３５２の位置がずれることを防止することができる。
【０１２１】
尚、ドラム３７に巻いた紙幣１００の量が比較的多い時には、押さえローラー３８１や可動ガイド３２２の、部品ばらつきや、組み立てばらつきの影響は、紙幣１００同士の摩擦等によって相殺される。そのため、ドラム３７に巻いた紙幣の量が比較的多い時に、押さえローラー３８１が、ドラム３７に巻いた第１テープ３５１及び第２テープ３５２を押さえても、第１テープ３５１及び／又は第２テープ３５２の位置は、ずれない。
【０１２２】
（紙幣収納装置の小型化に有利な各種構成）
ドラム３７の見かけの径が大きくなって、可動ガイド３２２が反時計回り方向に回動したときに、第１リール３６１及び第２リール３６２の見かけの径は小さくなる。このとき、図４に一点鎖線で示すように、可動ガイド３２２の一部は、第１リール３６１の見かけの径が変化する領域内に位置する。つまり、この紙幣収納装置３は、第１リール３６１の見かけの径が変化する領域と、可動ガイド３２２が変位する領域との一部が重なるよう構成されている。こうすることで、フレーム３１内のスペース効率が高くなり、紙幣収納装置３を小型化することができる。
【０１２３】
可動ガイド３２２には、第３共通ローラー３２６が取り付けられている。第３共通ローラー３２６は、可動ガイド３２２と共に変位する。第３共通ローラー３２６は、ドラム３７の見かけの径が小さいときには、第１テープ３５１及び第２テープ３５２に触れない（図３参照）。ドラム３７の見かけの径が大きくなって、可動ガイド３２２が反時計回り方向に回動すると、第３共通ローラー３２６は、第１共通ローラー３２４と第２共通ローラー３２５との間で、重なった第１テープ３５１及び第２テープ３５２に触れて、第１テープ３５１及び第２テープ３５２を案内する。このときに第３共通ローラー３２６は、第１リール３６１の見かけの径が変化する領域内に位置している。
【０１２４】
尚、第１リール３６１及び第２リール３６２の配設位置が、図３及び図４に示す位置とは異なる構成の紙幣収納装置では、第２リール３６２の見かけの径が変化する領域と、可動ガイド３２２が変位する領域との一部が重なるようにしてもよい。また、第１リール３６１及び第２リール３６２それぞれの見かけの径が変化する領域と、可動ガイド３２２が変位する領域との一部が重なるよう、紙幣収納装置を構成してもよい。
【０１２５】
ここで、従来の紙幣収納装置は、二本のテープが紙幣を厚み方向に挟むため、第１リール及び第２リールのいずれか一方は、フレーム内の一側領域に配設され、他方は、他側領域に配設されていた。しかしながら、この構成は、一側領域に、ドラムとリールとの両方を配設しなければならないため、紙幣収納装置が大型化してしまうという問題があった。
【０１２６】
これに対し、この紙幣収納装置３において、ドラム３７は、一側領域３１１に配設され、第１リール３６１及び第２リール３６２は共に、他側領域３１２に配設されている。一側領域３１１においてリールの配設スペースを省略することができるため、紙幣収納装置３を小型化することができる。
【０１２７】
第１リール３６１及び第２リール３６２を共に、他側領域３１２に配設しても、この紙幣収納装置３は、可動ガイド３２２に連通部３２３を設け、第１テープ３５１及び第２テープ３５２が、連通部３２３を通り抜けるよう構成している。こうすることによって、第１テープ３５１と第２テープ３５２とは、ドラム３７が配設された一側領域３１１において、紙幣１００を挟むことができる。
【０１２８】
（紙幣収納装置の別の構成例）
図８及び図９は、紙幣収納装置の別の構成例を示している。図８及び図９の紙幣収納装置３０において、図３及び図４の紙幣収納装置３と同じ構成は、同じ符号を付して、説明を省略する場合がある。
【０１２９】
この紙幣収納装置３０において、ドラム３７は、一側領域３１１に配設されている。第１リール３６１及び第２リール３６２は共に、他側領域３１２に配設されている。
【０１３０】
第１リール３６１から引き出された第１テープ３５１は、複数のローラーを介して、ガイドローラー３９１に至る。ガイドローラー３９１は、可動ガイド３２２の連通部３２３に配設されている。ガイドローラー３９１は、図３に示す第１共通ローラー３２４と同じ位置に配設されている。ガイドローラー３９１は、第１共通ローラー３２４とは異なり、第１テープ３５１のみを、第１のローラー３４１に案内する。
【０１３１】
第１テープ３５１は、ガイドローラー３９１を介して第１のローラー３４１に至る。ガイドローラー３９１と第１のローラー３４１との間で、第１テープ３５１は、紙幣１００の搬送路に沿って走行する。第１のローラー３４１は、図３に示す第１のローラー３４１と同じ位置に配設されている。第１のローラー３４１は、第１テープ３５１のみを、ドラム３７の外周面に向かって案内する。
【０１３２】
第２リール３６２から引き出された第２テープ３５２は、複数の迂回ローラー３９２によって、可動ガイド３２２を迂回するように一側領域３１１へと導かれる。第２テープ３５２は、一側領域３１１においてＹ方向に走行し第２のローラー３４２に至る。第２のローラー３４２は、第２テープ３５２を、第１テープ３５１に重なるように、ドラム３７の外周面に向かって案内する。
【０１３３】
紙幣１００は、第１のローラー３４１と第２のローラー３４２とによって構成されるローラー対３４の箇所において、第１テープ３５１及び第２テープ３５２の間に挟まれる。第１テープ３５１と第２テープ３５２との両方を、異なる経路を通じて、フレーム３１内の他側領域３１２から一側領域３１１へと導くことによって、紙幣１００を二本のテープの間に挟むことができる。
【０１３４】
この紙幣収納装置３０においても、ドラム３７は、一側領域３１１に配設され、第１リール３６１及び第２リール３６２は共に、他側領域３１２に配設されている。一側領域３１１においてリールの配設スペースを省略することができるため、紙幣収納装置３０を小型化することができる。
【０１３５】
尚、図８及び図９の紙幣収納装置３０では、第１テープ３５１及び第２テープ３５２は、挟持箇所から第１リール３６１及び第２リール３６２までのテープ経路において、重ならない。
【０１３６】
紙幣収納装置３０が二種類のテープ規制部を有しているという特徴構成は、紙幣収納装置３と同じである。また、紙幣収納装置３０のテープ規制部が、ドラム３７の見かけの径の大きさに応じて変位するという特徴構成も、紙幣収納装置３と同じである。さらに、紙幣収納装置３０の押さえローラー３８１が所定条件下においてドラム３７の外周面から離れるという特徴構成も、紙幣収納装置３と同じである。加えて、紙幣収納装置３０において、第１リール３６１及び第２リール３６２の少なくとも一方について、リールの見かけの径が変化する領域と、可動ガイド３２２が変位する領域との一部が重なるという特徴構成も、紙幣収納装置３と同じである。
【０１３７】
尚、紙幣処理装置１の一時保留部６は、図３等に示す紙幣収納装置３、又は、図８等に示す紙幣収納装置３０と同じ構成にしてもよい。一時保留部６は、紙葉類収納装置の一例である。
【０１３８】
ここで、参考例として、例えば図１０Ａに示す紙幣収納装置３０１、及び、図１０Ｂに示す紙幣収納装置３０２のように、搬送ガイド３２によって隔てられた一側領域３１１と他側領域３１２との内、一側領域３１１にドラム３７と、第１リール３６１及び第２リール３６２とを配設してもよい。これらの構成の紙幣収納装置３０１、３０２に、前述した紙幣収納装置３、３０が有する様々な特徴構成を、適宜採用することも可能である。
【０１３９】
尚、ここに開示する技術は、紙幣処理装置、及び、紙幣収納装置に適用されることに限らない。ここに開示する技術は、例えば小切手、商品券、及び、各種の有価証券を含む紙葉類を処理する紙葉類処理装置、及び、紙葉類収納装置に、広く適用することが可能である。
【符号の説明】
【０１４０】
１  紙幣処理装置（紙葉類処理装置）
１００  紙幣（紙葉類）
３  紙幣収納装置（紙葉類収納装置）
３０  紙幣収納装置（紙葉類収納装置）
３２  搬送ガイド（搬送路）
３２２  可動ガイド（ローラー支持部）
３２４  第１共通ローラー
３２５  第２共通ローラー
３２６  第３共通ローラー
３４１  第１のローラー
３４２  第２のローラー（テープ規制部）
３５１  第１テープ
３５２  第２テープ
３６１  第１リール
３６２  第２リール
３７  ドラム
３８２  規制壁（テープ規制部）
３８１  押さえローラー
３９２  迂回ローラー
６  一時保留部（紙葉類収納装置）
【図１】
2018194943.tif 000003
【図２】
2018194943.tif 000004
【図３】
2018194943.tif 000005
【図４】
2018194943.tif 000006
【図５】
2018194943.tif 000007
【図６】
2018194943.tif 000008
【図７Ａ】
2018194943.tif 000009
【図７Ｂ】
2018194943.tif 000010
【図８】
2018194943.tif 000011
【図９】
2018194943.tif 000012
【図１０Ａ】
2018194943.tif 000013
【図１０Ｂ】
2018194943.tif 000014